(57)【要約】【課題】  火災警報器が発する電波出力が小さくても、火災警報器自身に中継機能を設けることで火災検知信号を中継させ、受信する親機端末の設置場所の制約を無くす。【解決手段】  火災警報器１は、火災検知信号等を無線発信する火報通信部と、他の火災警報器１から無線発信された火災検知信号と呼出装置２から無線発信された呼出信号を中継制御する火報制御部とを有し、呼出装置２は、呼出信号等を無線発信する呼出通信部と、火災警報器１から無線発信された火災検知信号と他の呼出装置２から無線発信された呼出信号を中継制御する呼出制御部とを有し、親機端末３は火災警報器１から発信される火災検知信号及び呼出装置２から発信される呼出信号を受信する親機通信部と、火災警報器１及び呼出装置２から受信した信号を読み取って報音部及び表示部の報知動作を制御する親機制御部とを備えた。【選択図】  図１
2011198108.tif 000002
【特許請求の範囲】
【請求項１】
火災発生を検知して火災検知信号を出力する複数の火災警報器と、ベッドサイド、トイレ等に設置されて呼出操作が成されたら呼出信号を出力する少なくとも１つの呼出装置と、前記火災検知信号、前記呼出信号を受けて報知動作する報知部を備えた親機端末とを有する宅内異常通報システムであって、
前記火災警報器は、火災検知信号を無線発信する火報通信部と、他の火災警報器から無線発信された火災検知信号を中継する火報中継部とを備える一方、前記呼出装置は呼出信号を無線発信する呼出通信部を備え、
前記親機端末は、前記火災警報器から発信される火災検知信号、及び前記呼出装置から前記火災警報器と同一の通信プロトコルで発信される呼出信号を受信する親機通信部と、前記火災警報器及び前記呼出装置から受信した信号を読み取って前記報知部の報知動作を制御する親機制御部とを備えたことを特徴とする宅内異常通報システム。
【請求項２】
前記呼出装置は複数設置されて、他の呼出装置から無線発信された呼出信号を中継する呼出中継部を備え、
前記親機通信部は、前記呼出装置から無線発信される呼出信号を受信することを特徴とする請求項１記載の宅内異常通報システム。
【請求項３】
前記火報中継部は、他の火災警報器に加えて前記呼出装置からの呼出信号を中継すると共に、前記呼出中継部は、他の呼出装置に加えて前記火災警報器からの火災検知信号を中継することを特徴とする請求項２記載の宅内異常通報システム。
【請求項４】
前記親機端末は、前記火災警報器及び前記呼出装置のＩＤコードと場所情報とを関連付けて記憶したＩＤ記憶部を有する一方、
前記火災警報器は前記火報通信部から前記ＩＤコードを添付した火災検知信号を送信すると共に、呼出装置は前記呼出通信部から前記ＩＤコードを添付した呼出信号を送信し、
前記親機制御部は、前記火災検知信号或いは前記呼出信号を受信したら、添付されているＩＤコードを基に前記ＩＤ記憶部から場所情報を読み取り、通報動作と同時に場所情報の報知を行うことを特徴とする請求項３記載の宅内異常通報システム。
【請求項５】
前記呼出装置が、固定型に加えて居住者が携行する携帯型であって、
前記火報制御部及び前記呼出制御部は、前記携帯型の呼出装置が発信した呼出信号に添付された前記携帯型の呼出装置のＩＤコードを、無線信号を最初に中継した固定型機器のＩＤコードとともに送信制御し、
前記親機制御部は、前記携帯型の呼出装置が発信した呼出信号を受信したら、前記無線信号を最初に中継した固定型機器のＩＤコードを基に前記ＩＤ記憶部から場所情報を読み取り、報知制御と同時に場所情報を前記報知部から報知することを特徴とする請求項４記載の宅内異常通報システム。
【請求項６】
前記火災警報器、前記呼出装置の少なくとも一方は、充電可能な２次電池を電源として備え、更に前記２次電池の残量が特定の値以下に低下したら電源警報信号を無線発信させる電源監視部を有し、
前記親機制御部は、前記電源警報信号を受けて前記報知部を報知動作させることを特徴とする請求項４又は５記載の宅内異常通報システム。
【請求項７】
前記親機端末には、有線又は無線により人物の存在を感知したら照明が点灯するセンサライト、人感センサ或いは水量センサを備えて居住者の生活異変を検知する生活異変センサ等のセンサ機器が接続される一方、
前記親機制御部は、前記センサ機器が前記火災検知信号或いは前記呼出信号を中継する中継部を備え、更に前記生活異変センサの異変検知信号を受けて前記報知部を報知制御することを特徴とする請求項３乃至６の何れかに記載の宅内異常通報システム。
【請求項８】
火災検知信号と呼出信号が輻輳した場合、前記火報制御部及び前記呼出制御部は、呼出信号を優先して中継することを特徴とする請求項３乃至７の何れかに記載の宅内異常通報システム。
【発明の詳細な説明】
【技術分野】
【０００１】
本発明は、宅内において火災発生等の異常が発生したら発報動作して居住者に通報する宅内異常通報システムに関し、特に無線により火災検知信号を送信する火災警報器に加え、援助を求めるための呼出信号を出力する呼出装置を備え、親機端末が火災検知信号や呼出信号を受信して報知動作する宅内異常通報システムに関する。
【背景技術】
【０００２】
従来から、配線作業が必要無く簡易に設置できるため検知信号を無線発信する火災警報器等の異常検知センサ（子機端末）がある。この場合、発信された信号は親機端末で受信され、警報発報等が行われる。
例えば、このように構成された特許文献１の宅内異常通報システムは、異常検知センサの通信プロトコルに対応できるよう、親機端末はプログラムを書き換えるためのメモリカードの接続部を備え、通信プロトコルを変更することで各種異常検知センサに対応させた。
【０００３】
一方で、高齢者の居住者等が住戸内で異常を来して救援を必要としたときに呼出操作する携帯型の呼出装置と通信し、この呼出装置からの呼び出しを居室親機において報音させるための受信装置を備えたインターホン装置がある（例えば、特許文献２参照）。この報音動作により、他の居住者は家族の異常を速やかに認識することができた。
【先行技術文献】
【特許文献】
【０００４】
【特許文献１】特開２００８−６１００４号公報
【特許文献２】特開２００６−６５４６８号公報
【発明の概要】
【発明が解決しようとする課題】
【０００５】
しかしながら、無線により異常発生を通報する上記異常検知センサや呼出装置は、他の無線機器に影響を及ぼさないように電波出力を大きくすることができず、異常検知センサと親機端末との距離や呼出装置と受信装置の距離が限定されていた。
また、上記引用文献１では親機端末のＣＰＵの通信プロトコルを、通信対象の異常検知センサの通信プロトコルと一致させるためにプログラムの書き換えが可能となっているが、複数の異なる通信プロトコルで通信する機器を同一の親機端末で対応することはできない。そのため、上記特許文献２にあるような呼出装置との通信を行うためには呼出装置専用の受信機が相変わらず必要であった。
【０００６】
そこで、本発明はこのような問題点に鑑み、住戸に複数設置されることが多い火災警報器に着目したもので、火災警報器が発する電波出力が小さくても、火災警報器自身に中継機能を設けることで火災検知信号を中継させ、受信する親機端末の設置場所の制約を無くすこと、更に火災警報器及び呼出装置の発信信号を共通の親機端末で受信できるようにした宅内異常通報システムを提供することを目的としている。
【課題を解決するための手段】
【０００７】
上記課題を解決する為に、請求項１の発明は、火災発生を検知して火災検知信号を出力する複数の火災警報器と、ベッドサイド、トイレ等に設置されて呼出操作が成されたら呼出信号を出力する少なくとも１つの呼出装置と、火災検知信号、呼出信号を受けて報知動作する報知部を備えた親機端末とを有する宅内異常通報システムであって、火災警報器は、火災検知信号を無線発信する火報通信部と、他の火災警報器から無線発信された火災検知信号を中継する火報中継部とを備える一方、呼出装置は呼出信号を無線発信する呼出通信部を備え、親機端末は、火災警報器から発信される火災検知信号、及び呼出装置から火災警報器と同一の通信プロトコルで発信される呼出信号を受信する親機通信部と、火災警報器及び呼出装置から受信した信号を読み取って報知部の報知動作を制御する親機制御部とを備えたことを特徴とする。
この構成によれば、火災警報器及び呼出装置は信号を無線発信するので、面倒な配線作業が必要無く容易に設置できるし、火災警報器が発信する電波が微弱でも、親機端末まで途中に設置されている火災警報機が信号を中継するため、火災警報器と親機端末の距離が離れていても火災検知信号を親機端末に通知することができ、親機端末の設置場所が制限を受けない。そして、火災警報器からの火災検知信号の受信と、呼出装置からの呼出信号の受信とを１つの機器で実施でき、構成を簡略化できる。
【０００８】
請求項２の発明は、請求項１に記載の構成において、呼出装置は複数設置されて、他の呼出装置から無線発信された呼出信号を中継する呼出中継部を備え、親機通信部は、呼出装置から無線発信される呼出信号を受信することを特徴とする。
この構成によれば、呼出装置が発信する電波が微弱でも、親機端末まで途中に設置されている呼出装置が信号を中継するので、呼出装置の設置場所が制限される事態を防ぐことができる。
【０００９】
請求項３の発明は、請求項２に記載の構成において、火報中継部は、他の火災警報器に加えて呼出装置からの呼出信号を中継すると共に、呼出中継部は、他の呼出装置に加えて火災警報器からの火災検知信号を中継することを特徴とする。
この構成によれば、火災警報器及び呼出装置は、それぞれが互いの無線信号を中継するので、火災警報器及び呼出装置を混在して住戸内に任意位置に配置しても、夫々の無線信号を親機端末に送信できる。
【００１０】
請求項４の発明は、請求項３に記載の構成において、親機端末は、火災警報器及び呼出装置のＩＤコードと場所情報とを関連付けて記憶したＩＤ記憶部を有する一方、火災警報器は火報通信部からＩＤコードを添付した火災検知信号を送信すると共に、呼出装置は呼出通信部からＩＤコードを添付した呼出信号を送信し、親機制御部は、火災検知信号或いは呼出信号を受信したら、添付されているＩＤコードを基にＩＤ記憶部から場所情報を読み取り、通報動作と同時に場所情報の報知を行うことを特徴とする。
この構成によれば、親機端末は、報知動作に合わせて火災検知信号或いは呼出信号の発信元情報も報知するので、親機端末を見ただけで場所を速やかに認識できる。
【００１１】
請求項５の発明は、請求項４に記載の構成において、呼出装置が、固定型に加えて居住者が携行する携帯型であって、火報制御部及び呼出制御部は、携帯型の呼出装置が発信した呼出信号に添付された携帯型の呼出装置のＩＤコードを、無線信号を最初に中継した固定型機器のＩＤコードとともに送信制御し、親機制御部は、携帯型の呼出装置が発信した呼出信号を受信したら、無線信号を最初に中継した固定型機器のＩＤコードを基にＩＤ記憶部から場所情報を読み取り、報知制御と同時に場所情報を報知部から報知することを特徴とする。
この構成によれば、携帯型呼出装置を携行した居住者が、移動先で使用して呼出操作しても、最初に呼出信号を中継した火災警報器或いは呼出装置の場所情報が親機端末において報知されるので、呼出信号の発信場所の識別がし易く、対処し易い。
【００１２】
請求項６の発明は、請求項４又は５記載の構成において、火災警報器、呼出装置の少なくとも一方は、充電可能な２次電池を電源として備え、更に２次電池の残量が特定の値以下に低下したら電源警報信号を無線発信させる電源監視部を有し、親機制御部は、電源警報信号を受けて報知部を報知動作させることを特徴とする。
この構成によれば、電池交換の必要性を認識でき、利便性が良い。
【００１３】
請求項７の発明は、請求項３乃至６の何れかに記載の構成において、親機端末には、有線又は無線により人物の存在を感知したら照明が点灯するセンサライト、人感センサ或いは水量センサを備えて居住者の生活異変を検知する生活異変センサ等のセンサ機器が接続される一方、親機制御部は、センサ機器が火災検知信号或いは呼出信号を中継する中継部を備え、更に生活異変センサの異変検知信号を受けて報知部を報知制御することを特徴とする。
この構成によれば、火災警報器、呼出装置以外に、信号を中継する機器が設置されるので、親機端末まで確実に信号を伝送できる。また、センサライトを屋外に設置すれば、呼出装置を屋外で操作しても呼出信号を親機端末まで送信することが可能となり、呼出装置の使用範囲を拡大できるし、生活異変を検知したら親機端末が報知するので、異常発生を把握し易い。
【００１４】
請求項８の発明は、請求項３乃至７の何れかに記載の構成において、火災検知信号と呼出信号が輻輳した場合、火報制御部及び呼出制御部は、呼出信号を優先して中継することを特徴とする。
この構成によれば、火災が発生した際に救助を求めている人物からの信号を優先して報知させるので、速やかな救助が可能となる。
【発明の効果】
【００１５】
本発明によれば、火災警報器が発信する電波が微弱でも、親機端末まで途中に設置されている火災警報機が信号を中継するので、火災警報器あるいは親機端末の設置場所が限定されない。そして、火災警報器の火災検知動作及び呼出装置の呼出操作を受けて親機端末が報知動作するので、火災発生の報知と呼出報知を１つの機器で実施できる。また、火災警報器及び呼出装置は信号を無線発信するので、面倒な配線作業が必要無く容易に設置できる。
また、呼出装置にも中継機能を設ければ、呼出装置が発信する電波が微弱でも、親機端末まで途中に設置されている呼出装置が信号を中継するので、呼出装置の設置場所が制限される事態を防ぐことができる。
更に、火災警報器及び呼出装置は、それぞれが互いの無線信号を中継するよう構成すれば、火災警報器及び呼出装置を混在して住戸内に任意位置に配置しても、夫々の無線信号を親機端末に送信できる。
【図面の簡単な説明】
【００１６】
【図１】本発明に係る宅内異常通報システムの実施形態の一例を示す構成図である。
【図２】火災警報器の回路ブロック図である。
【図３】呼出装置の回路ブロック図であり、（ａ）は固定型、（ｂ）は携帯型を示している。
【図４】親機端末の回路ブロック図である。
【図５】センサライトの回路ブロック図であり、（ａ）は無線式、（ｂ）は有線式を示している。
【図６】生活異変センサの回路ブロック図であり、（ａ）は人感センサを使用した構成、（ｂ）は水量センサを使用した構成を示している。
【発明を実施するための形態】
【００１７】
以下、本発明を具体化した実施の形態を、図面に基づいて詳細に説明する。図１は、本発明に係る宅内異常通報システムの一例を示す構成図であり、１は火災を検知する火災警報器、２は緊急時に操作される呼出装置、３は火災警報器１等からの信号を受けて発報動作する親機端末、４は人物が接近したら照明が点灯するセンサライト、５は居住者の生活異変を検知する生活異変センサである。尚、Ｈは住戸を示している。
【００１８】
図１に示すように、宅内異常通報システムは、２つの火災警報器（第１火災警報器１ａ、第２火災警報器１ｂ）１と、３つの呼出装置（固定型の第１呼出装置２ａ及び第２呼出装置２ｂ、携帯型の第３呼出装置２ｃ）２と、２つのセンサライト（無線型の第１センサライト４ａ、有線型の第２センサライト４ｂ）４と、２つの生活異変センサ（人感センサにより居住者の生活異変を検知する第１生活異変センサ５ａ、水量センサにより居住者の生活異変を検知する第２生活異変センサ５ｂ）５と、１つの親機端末３を備えて構成されている。
【００１９】
なお、第１及び第２火災警報器１ａ，１ｂ、第１〜第３呼出装置２ａ〜２ｃ、第１センサライト４ａ、第１及び第２生活異変センサ５ａ，５ｂと親機端末３とは、無線通信を実施し、第２センサライト４ｂと親機端末３とは伝送線Ｌ１を介して通信する。また、無線通信は、全て同一の通信プロトコルで実施される。
【００２０】
火災警報器１は図２の回路ブロック図に示すように構成されている。図２に示すように、火災を検知する火災検知部１１、無線信号を送受信する火報通信部１２、発信信号を生成すると共に信号の中継を行う火報制御部１３等を備えている。この火災警報器１は住戸或いは施設建屋の天井等に固定設置されている。
【００２１】
具体的に火報通信部１２は、火報制御部の１３の制御により火報制御部１３から伝送された火災検知信号を、決められた周波数チャンネル、変調方式、伝送速度、パケット構成等の所定の通信プロトコルに従って電波に重畳させて発信する。
【００２２】
火報制御部１３は、火災検知部１１が火災発生を検知したら、自己のＩＤコード、機器固定情報を付与した火災検知信号を生成して火報通信部１２に対して発信する。また、他の火災警報器１、呼出装置２、センサライト４、生活異変センサ５の電波を受信したら、他の火災警報器１、呼出装置２、センサライト４、生活異変センサ５、あるいは親機端末３に転送する中継制御を実施する。なお、機器固定情報とは、自己の機器が天井等に固定されているのか、あるいは携帯型、可搬型であるかを識別するための情報である。
【００２３】
呼出装置２のうち固定型の第１及び第２呼出装置２ａ，２ｂは図３（ａ）の回路ブロック図に示すように構成されている。図３（ａ）に示すように、居住者が呼出操作する呼出ボタン２１、無線信号を送受信する呼出通信部２２、発信信号を生成すると共に信号の中継を行う呼出制御部２３が備えられている。
【００２４】
携帯型の第３呼出装置２ｃは、図３（ｂ）の回路ブロック図に示すように構成され、上記図３（ａ）に示す回路に加え、加速度センサ２５、太陽電池２６、充電池２７が設けられている。加速度センサ２５は、第３呼出装置２ｃを携行している使用者が体調を崩して倒れた等により、通常と異なる動きをしたことを検出する。また、太陽電池２６は、屋内の照明等により装置の動作電源を確保するものである。充電池２７は、ニッケル水素電池等の充電池であり、太陽電池２６で発電された余剰電力を蓄電するとともに、太陽電池２６が発電できないときに装置の電源となる。
【００２５】
呼出装置２（第１、第２及び第３呼出装置２ａ，２ｂ，２ｃ）は、呼出ボタン２１の操作を受けて呼出制御部２３が、自己のＩＤコード、機器固定情報が付与した呼出信号を生成して呼出通信部２２に送信する。また、他の火災警報器１、呼出装置２、センサライト４、生活異変センサ５の電波を受信したら、他の火災警報器１、呼出装置２、センサライト４、生活異変センサ５、或いは親機端末３に転送する中継制御を実施する。
【００２６】
呼出通信部２２は、呼出制御部２３の制御により、呼出制御部２３から伝送された呼出信号を、決められた周波数チャンネル、変調方式、伝送速度、パケット構成等の所定の通信プロトコルに従って電波に重畳させて発信する。
【００２７】
親機端末３は、図４に示すように、電波による送受信／伝送線Ｌ１を介した送受信を行う親機通信部３１、警報音等を報音する報音部３２、警報内容を表示する表示部３３、通信を行う個々の機器のＩＤデータ等を記憶する記憶部３４、通信を制御すると共に親機端末３を制御する親機制御部３５等が備えられている。
親機通信部３１は、親機制御部３５の制御により、火災警報器１、呼出装置２、第１センサライト４ａ、生活異変センサ５から所定の統一された通信プロトコルに従い電波に重畳され送信されてくる無線データ、及び第２センサライト４ｂから所定の統一された通信プロトコルに従って伝送線Ｌ１を介して送信されてくるデータを受信して復調等を行う。
【００２８】
報音部３２は、火災警報器１から送信された火災検知信号、呼出装置２の呼出信号、センサライト４にて検出された感知信号、生活異変センサ５にて検出された異変信号を受けて報音通知するためのものである。また、表示部３３は、火災警報器１から送信された火災検知信号の内容、呼出装置２の呼出信号の内容、センサライト４にて検出された感知信号の内容、生活異変センサ５にて検出された異変信号の内容を夫々示す文字メッセージや絵データ等を、発信元の端末情報と併せて表示するためのものである。なお、表示部３３としては、例えば、ＬＣＤ、有機ＥＬディスプレイ等が好適である。
【００２９】
記憶部３４は、火災警報器１、呼出装置２、センサライト４、生活異変センサ５にて検出された警報の内容、及びそれら個々のＩＤコードに対応する場所情報を記憶している。
【００３０】
親機制御部３５は、親機端末３全体を制御する。例えば、火災警報器１、呼出装置２、センサライト４、生活異変センサ５から発信される信号の相違に応じて、報音部３２及び表示部３３の報知内容を予めインストールされた報知用プログラムに基づいて変更制御する。
【００３１】
第１センサライト４ａは、図５（ａ）の回路ブロック図に示すように構成されている。図５（ａ）に示すように、不審者を感知するための人感センサ４１、無線信号を送受信するセンサライト通信部４２、不審者を照らすための照明４３、発信信号を生成すると共に照明を制御し、更に信号の中継を行うセンサライト制御部４４等を備えている。
【００３２】
第２センサライト４ｂは、図５（ｂ）の回路ブロック図に示すように構成されている。図５（ｂ）に示すように、不審者を感知するための人感センサ４１、無線信号を送受信すると共に、伝送線Ｌ１を介して親機端末３と通信するセンサライト通信インターフェース（センサライト通信ＩＦ）４６、不審者を照らすための照明４３、発信信号を生成すると共に照明を制御するセンサライト制御部４４等を備えている。
【００３３】
人感センサを備えた第１生活異変センサ５ａは、図６（ａ）の回路ブロック図に示すように構成されている。図６（ａ）に示すように、人感センサ５１、無線信号を送受信するセンサ通信部５２、発信信号を生成すると共に信号の中継を行うセンサ制御部５３が備えられている。人感センサ５１が人物の存在を一定時間以上検知しない場合、センサ制御部が居住者の生活異変発生と判断し、警報信号を生成してセンサ通信部５２から無線発信する。
【００３４】
水量センサを備え第２生活異変センサ５ｂは、図６（ｂ）の回路ブロック図に示すように構成されている。図６（ｂ）に示すように、水道水の使用状況を監視する水量センサ５５、無線信号を送受信するセンサ通信部５２、発信信号を生成すると共に信号の中継を行うセンサ制御部５３が備えられている。センサ制御部５３が、一定時間以上の水道の未使用、あるいは過剰使用を検知したら、生活異変発生と判断して警報信号を生成し、センサ通信部５２から無線発信させる。
【００３５】
具体的に、センサ制御部５３は、人感センサが所定時間人物を検知しなかったら、或いは水量センサが一定時間以上の水道の未使用、あるいは過剰使用を検知したら、自己のＩＤコード、機器固定情報を付与した火災検知信号を生成してセンサ通信部５２に送信する。また、他の火災警報器１、呼出装置２、センサライト４、生活異変センサ５の電波を受信したら、他の火災警報器１、呼出装置２、センサライト４、生活異変センサ５、あるいは親機端末３に転送する中継制御を実施する。
【００３６】
センサ通信部５２は、センサ制御部５３の制御により、センサ制御部５３から伝送された異変検知信号を、決められた周波数チャンネル、変調方式、伝送速度、パケット構成等の所定の通信プロトコルに従って電波に重畳させて発信する。
【００３７】
以下、上記構成の宅内異常通報システムの動作を説明する。通信に使用される通信プロトコルとしては、例えば、電波の周波数チャンネル：４２９ＭＨｚ、電波の変調データ伝送速度：２４００ｂｐｓ、データパケット構成のビット同期：４１ｂｉｔ、データパケット構成の同期フレーム：３１ｂｉｔ、データパケット構成のＩＤコード：３２ｂｉｔ、データパケット構成の異常状態データ：３２ｂｉｔ、がそれぞれ設定されているものとする。このような通信プロトコルにより、火災警報器１、呼出装置２、親機端末３、センサライト４、生活異変センサ５は通信動作する。
ただし、第１火災警報器１ａは直接親機端末３と通信ができる場所に設置され、第２火災警報器１ｂは直接通信できない遠方で設置されているものとする。
【００３８】
最初に、第１火災警報器１ａの火災検知部１１が火災発生を検出した場合を説明する。火災検知部１１が火災を検知すると、火報制御部１３が自己のＩＤコードを付与した火災検知信号Ｓ１ａを生成して火報通信部１２に送出する。火報通信部１２は、受信した火災検知信号Ｓ１ａを信号処理して、所定の通信プロトコルに従った無線データＳ２ａに信号処理して電波に重畳して親機端末３に対して発信する。
親機端末３の親機通信部３１は、第１火災警報器１ａから送信されてきた無線データＳ２ａを受信すると復調し、復調処理後の復調データＳ３ａを親機制御部３５に送出するとともに、第１火災警報器１ａに対してデータ受領信号Ｓｂを送信する。この信号を受信した第１火災警報器１ａの火報制御部１３は、情報が到達されたことを確認して信号の送出を終了する。
【００３９】
親機端末３の親機制御部３５は、親機通信部３１より受信した復調データＳ３ａのＩＤコードを読み取り、予め記憶部３４に登録されている複数のＩＤコード（詳述せず。）と対比して、第１火災警報器１ａからの信号であることを特定する。この後、親機制御部３５は、報音部３２を報音制御し、特定した第１火災警報器１ａの場所情報、及び火災発生の詳細を示す文字メッセージや絵データ等を、記憶部３４から読み取り表示部３３に表示させて報知（警報報知）を行う。
【００４０】
次に、親機端末３と直接電波の送受信ができない遠方に設置された第２火災警報器１ｂが火災発生を検知した場合を説明する。
第２火災警報器１ｂの火災検知部１１が火災を検知すると、火報制御部１３が自己のＩＤコードを付与した火災検知信号Ｓ１ｂを生成して火報通信部１２に送出する。火報通信部１２は、受信した火災検知信号Ｓ１ｂを所定の通信プロトコルに従った無線データＳ２ｂに信号処理して電波に重畳し、親機端末３に対して発信する。
【００４１】
この無線データＳ２ｂを第１火災警報器１ａが受信すると、第１火災警報器１ａの火報制御部１３は、親機端末３からのデータ受領信号Ｓｂを一定時間待つ。
このとき、データ受領信号Ｓｂを受信できれば、無線データＳ２ｂが親機端末３に届いたと判断して、第１火災警報器１ａの火報制御部１３は受信した無線データＳ２ｂを破棄する。しかし、データ受領信号Ｓｂが受信できなければ、無線データＳ２ｂが親機端末３に届いていないと判断し、第１火災警報器１ａは、無線データＳ２ｂに中継端末として自己のＩＤコードを付加した無線データＳ３ｂを生成して火報通信部１２から親機端末３に向けて発信する。
【００４２】
この無線データＳ３ｂを親機端末３の親機通信部３１が受信すると、復調を行い、復調処理後の復調データＳ４ｂを親機制御部３５に送出する。親機制御部３５は、この復調データＳ４ｂの受信を受けて、第１火災警報器１ａに対して親機通信部３１からデータ受領信号Ｓｂを送信する。
そして親機制御部３５は、復調データＳ４ｂのＩＤコードを読み取り、予め登録されている複数のＩＤコード（詳述せず。）と対比して、発信元が第２火災警報器１ｂであることを特定する。この後、親機制御部３５は、報音部３２を報音制御し、第２火災警報器１ｂの場所情報、及び火災発生の詳細を示す文字メッセージや絵データ等を、表示部３３に表示させて報知（警報報知）を行う。
【００４３】
一方、親機端末３からのデータ受領信号Ｓｂを受信した第１火災警報器１ａの火報制御部１３は、データ受領信号Ｓｂを第２火災警報器１ｂに転送する。こうして、データ受領信号Ｓｂを受信した第２火災警報器１ｂは、情報が到達されたことを確認して信号の発信を終了する。
【００４４】
なお、第１火災警報器１ａが送信した無線データＳ３ｂも親機端末３と直接電波の送受信ができない場合には、呼出装置２、センサライト４、生活異変センサ５等が無線データＳ３ｂをさらに中継することにより、親機端末３に情報が到達される。また、第２センサライト４ｂが無線データＳ３ｂを中継する際には、伝送線Ｌ１を介して親機端末３に情報が伝送される。
【００４５】
居住者に携行されている第３呼出装置２ｃから呼出信号が発信された場合は、以下のようである。なお、携帯型であることは、例えばＩＤコードの先頭ビットを１とすることで識別し、携帯型でない火災警報器１、センサライト４、第１，第２生活異変センサ５ａ，５ｂのＩＤコードの先頭ビットは０となっている。
【００４６】
次に、呼出装置２が呼出信号を発した場合を説明する。携帯型の第３呼出装置２ｃが、親機端末３と直接電波の送受信ができない遠方において呼出信号を発した場合を代表として説明する。
第３呼出装置２ｃの呼出ボタン２１が押下される、あるいは加速度センサ２５が人物の転倒等の異常を検出すると、呼出制御部２３が、自己のＩＤコードを付与した呼出信号Ｓ１ｃを生成して呼出通信部２２に送出する。呼出通信部２２は、受信した呼出信号Ｓ１ｃを信号処理して所定の通信プロトコルに従った無線データＳ２ｃを電波に重畳させて、親機端末３に対して発信する。
【００４７】
第１火災警報器１ａがこの無線データＳ２ｃを受信すると、火報制御部１３は親機端末３からのデータ受領信号Ｓｂを一定時間待つ。このとき、データ受領信号Ｓｂが受信できれば、無線データＳ２ｃが親機端末３に届いたと判断して無線データＳ２ｃを破棄する。しかし、データ受領信号Ｓｂが受信できなければ、第１火災警報器１ａの火報制御部１３は、無線データＳ２ｃが親機端末３に届いていないと判断し、無線データＳ２ｃに中継端末として自己のＩＤコードを付加した無線データＳ３ｃを火報通信部１２から発信させる。
【００４８】
親機端末３の親機通信部３５は、第１火災警報器１ａから送信されてきた無線データＳ３ｃを受信すると復調し、復調データＳ４ｃを親機制御部３５に送信する。親機制御部３５は、復調データＳ４ｃを受信すると、第１火災警報器１ａに対してデータ受領信号Ｓｂを送信する。
そして、親機制御部３５は、復調データＳ４ｃのＩＤコードを読み取り、予め登録されている複数のＩＤコード（詳述せず。）と対比して、発信元が第３呼出装置２ｃであることを特定する。ここで、第３呼出装置２ｃがＩＤコードにより携帯型であることが特定され、第３呼出装置３ｃの位置自体は特定できないが、親機制御部３５は受信した復調データＳ４ｃのＩＤコードから、中継端末である第１火災警報器１ａをさらに特定する。
【００４９】
こうして、親機制御部３５は、特定された第３呼出装置２ｃの呼出発生の詳細を示す報知を報音部３２で報音させ、文字メッセージや絵データ等を報知用プログラムの制御により表示部３３に表示させて報知（警報報知）を行う。
このとき、親機制御部３５は、特定された中継端末である第１火災警報器１ａの場所情報の詳細を、文字メッセージや絵データ等を報知用プログラムの制御により表示部３３に報知させる。この報知により、第３呼出装置２ｃが第１火災警報器１ａの近傍にあることが通知される。
【００５０】
一方、親機端末３からのデータ受領信号Ｓｂを受信した第１火災警報器１ａの火報制御部１３は、データ受領信号Ｓｂを第３呼出装置２ｃに転送する。これにより、第３呼出装置２ｃは、情報が到達されたことを認識して信号の発信を終了する。
【００５１】
なお、第１火災警報器１ａが発信した無線データＳ３ｃも親機端末３に直接送信できない場合には、第２火災警報器１ｂ、第１呼出装置２ａ、第２呼出装置２ｂ、センサライト４、生活異変センサ５が無線データをさらに中継することにより、親機端末３に情報を到達させる。この場合、親機制御部３５は、携帯型でない機器の複数のＩＤコードのうち、最初に中継を行なった機器のＩＤコードの場所情報を表示部３３に表示させる。
また、太陽電池２６の発電能力が不足し、充電池２７の充電容量が第３呼出装置２ｃの動作に支障を与えるほど低下した場合は、第３呼出装置２ｃの呼出制御部２３が電池警報信号を生成し、呼出ボタン２１の呼出信号と同様の経路で伝送することにより、親機端末３において第３呼出装置３ｃの電池切れが通知される。そのため、電池交換の必要性を認識でき、便利である。
【００５２】
次に、センサライト４が動作した場合を説明する。第１センサライト４ａの人感センサ４１が屋外にいる不審者等の人物を感知した場合は、次のように動作する。
人感センサ４１が人物の存在を感知すると、センサライト制御部４４は、自己のＩＤコードを付与した感知信号Ｓ５ａを生成してセンサライト通信部４２に送出するとともに、照明４３を点灯させて威嚇を行なう。感知信号Ｓ５ａを受信したセンサライト通信部４２は、感知信号Ｓ５ａを無線データＳ５ｂに信号処理して親機端末３に対して発信する。この信号は、所定の通信プロトコルに従った電波に重畳されて発信される。
以後の動作は、上記火災警報器１や呼出装置２の動作と同様であり、親機端末３の報音部３２及び表示部３３において報知（警報報知）される。
【００５３】
伝送線Ｌ１で親機端末３に接続された第２センサライト４ｂが屋外を不審者等の人物を感知した場合は、次のように動作する。
人感センサ４１が人物の存在を感知すると、センサライト制御部４４は、自己のＩＤコードを付与した感知信号Ｓ５ｅを生成してセンサライト通信ＩＦ４６に送出すると共に、照明４３を点灯させて威嚇を行なう。感知信号Ｓ５ｅを受信したセンサライト通信ＩＦ４６は、感知信号Ｓ５ｅを無線データＳ５ｆに信号処理して親機端末３に伝送線Ｌ１を介して送信する。以後の動作は、上記火災警報器１や呼出装置２の動作と同様であり、親機端末３の報音部３２及び表示部３３において不審者検知が報知（警報報知）される。
【００５４】
また、第２センサライト４ｂが、火災警報器１、呼出装置２、第１センサライト４ａ、人感センサ５の信号を中継する際には、センサライト制御部４４がセンサライト通信ＩＦ４６で受信した信号を伝送線Ｌ１を介して親機端末３に伝送する。
親機端末３の親機通信部３１がこの信号を受信したら、親機制御部３５が報音部３２及び表示部３３において報知（警報報知）させる。このときも、親機端末３から第２センサライト４ｂにデータ受領信号が伝送され、センサライト通信ＩＦ４６から無線発信される。そして、発信元の機器にデータ受領信号を受信させることができる。
【００５５】
以上は、火災検知信号、呼出信号が単発で発信された場合について説明したが、火災発生時に居住者が呼出装置２により救援を求める等信号が輻輳した場合は、火災警報器１の火報制御部１３、呼出装置２の呼出制御部２３、センサライト４のセンサライト制御部４４、生活異変センサ５のセンサ制御部５３は、呼出装置２の呼出信号を優先して中継する。
また、生活異変センサ５が異変検知信号を発信した場合の動作について詳述していないが、居住者の生活異変を検知した後の通知動作は、上記火災警報器１等の動作と同一であるため、詳細な動作については省略する。
【００５６】
このように、火災警報器１及び呼出装置２は信号を無線発信するので、面倒な配線作業が必要無く容易に設置できるし、火災警報器１が発信する電波が微弱でも、親機端末３まで途中に設置されている火災警報機１及び呼出装置２が互いに信号を中継するため、火災警報器１と親機端末３の距離、呼出装置２と親機端末３の距離が離れていても火災検知信号及び呼出信号を親機端末３に通知することができる。
また、火災警報器１及び呼出装置２を混在して住戸内の任意位置に配置しても、夫々の無線信号を親機端末３に送信できるので、設置場所の制約を受けないし、火災警報器１からの火災検知信号の受信と、呼出装置２からの呼出信号の受信とを１つの機器で実施でき、構成を簡略化できる。
【００５７】
更に、親機端末３は、報知動作に合わせて火災検知信号或いは呼出信号の発信元情報も報知するので、親機端末３を見るだけで発信元の場所を速やかに認識することができる。
また、携帯型呼出装置２ｃを居住者が携行し、移動先で呼出信号が発信されても、最初に呼出信号を中継した火災警報器１或いは呼出装置２等の場所情報が親機端末３において報知されるので、呼出信号の発信場所の識別がし易く、対処し易い。
また、火災警報器１、呼出装置２以外に、センサライトや生活異変センサが信号を中継するので、親機端末３まで確実に信号を伝送できる。特に、センサライト４を屋外に設置することで、呼出装置２を屋外で操作しても呼出信号を親機端末３まで送信することでき、呼出装置２の使用範囲を拡大できる。
更に、火災検知信号と呼出信号が輻輳した場合は呼出信号を優先するので、火災が発生した際に救助を求めている人物からの信号が優先され、速やかな救助が可能となる。
【００５８】
尚、上記実施形態では、火災警報器１及び呼出装置２の個数はそれぞれ２個として説明したが、それ以上の数であっても同様の効果を奏するし、第３呼出装置３ｃのみを携帯型としたが、他の機器を携帯型或いは可搬型としても良い。
また、全ての機器に信号を中継する機能を設けているが、少なくとも火災警報器１のみに中継機能を設けるだけでも、親機端末３の設置位置の制約を大幅に無くすことができる。
更に、センサライト４は、センサ動作を受けて撮像を開始するカメラを備えたセンサライトカメラであっても良い。その場合、感知信号と共にカメラが撮像した映像信号を親機端末３に送信すれば、不審者の映像を表示部３３等で確認することができるし、記録すればセキュリティの向上に役立てることができる。
また、親機端末３を警報を報知するための機器として説明しているが、玄関等に設置されたインターホン子機と通話路を形成して来訪者と居住者の間で通話を行うインターホン親機として構成しても好適である。
【符号の説明】
【００５９】
１・・火災警報器、２・・呼出装置、２ｃ・・第３呼出装置（携帯型呼出装置）、３・・親機端末、４・・センサライト、５・・生活異変センサ、１２・・火報通信部、１３・・火報制御部（火報中継部）、２１・・呼出ボタン、２２・・呼出通信部、２３・・呼出制御部（呼出中継部、電源監視部）、３１・・親機通信部、３２・・報音部（報知部）、３３・・表示部（報知部）、３４・・記憶部（ＩＤ記憶部）、３５・・親機制御部、４１・・人感センサ、４２・・センサライト通信部、４３・・照明、４４・・センサライト制御部（中継部）、４６・・センサライト通信ＩＦ、５１・・人感センサ、５２・・センサ通信部、５３・・センサ制御部（中継部）、５５・・水量センサ。
【図１】
2011198108.tif 000003
【図２】
2011198108.tif 000004
【図３】
2011198108.tif 000005
【図４】
2011198108.tif 000006
【図５】
2011198108.tif 000007
【図６】
2011198108.tif 000008